(57)【要約】【課題】ＤＨＣＰに変えたときに代替手段を提示したり、ＤＨＣＰから固定アドレス方式に戻した場合、使えるアプリケーションについてユーザに通知する端末を提供しようとするものである。【解決手段】固定ＩＰアドレスを設定する固定ＩＰアドレス設定手段、ＤＨＣＰからＩＰアドレスを取得して自端末のＩＰアドレスを設定するＤＨＣＰクライアント手段、上記固定ＩＰアドレス設定手段または上記ＤＨＣＰクライアント手段のいずれか一方を選択する選択手段、電子メールを受信するＰＯＰ３クライアント手段、ＳＭＴＰ受信を可能にするＳＭＴＰ受信手段、および、上記選択手段で上記ＤＨＣＰクライアント手段が選択された場合は上記ＰＯＰ３クライアント手段を使うようにユーザを誘導するガイダンスメッセージ表示手段を備えた。【選択図】　　　　図１
2004086748.tif 000002
【特許請求の範囲】
【請求項１】
固定ＩＰアドレスを設定する固定ＩＰアドレス設定手段と、
ＤＨＣＰからＩＰアドレスを取得して自端末のＩＰアドレスを設定するＤＨＣＰクライアント手段と、
上記固定ＩＰアドレス設定手段または上記ＤＨＣＰクライアント手段のいずれか一方を選択する選択手段と、
電子メールを受信するＰＯＰ３クライアント手段と、
ＳＭＴＰ受信を可能にするＳＭＴＰ受信手段と、
上記選択手段により、上記ＤＨＣＰクライアント手段が選択された場合には、上記ＰＯＰ３クライアント手段を使うようにユーザを誘導するガイダンスメッセージ表示手段を備えたことを特徴とするＤＨＣＰサポート端末装置。
【請求項２】
固定ＩＰアドレスを設定する固定ＩＰアドレス設定手段と、
ＤＨＣＰからＩＰアドレスを取得して自端末のＩＰアドレスを設定するＤＨＣＰクライアント手段と、
上記固定ＩＰアドレス設定手段または上記ＤＨＣＰクライアント手段のいずれか一方を選択する選択手段と、
リアルタイムインターネットファクシミリ受信を可能にするＴ．３８通信手段と、
ゲートキーパーにエイリアスを登録するゲートキーパーアクセス手段と、
上記選択手段により、上記ＤＨＣＰクライアント手段が選択された場合には、上記ゲートキーパーアクセス手段を使うようにユーザを誘導するガイダンスメッセージ表示手段を備えたことを特徴とするＤＨＣＰサポート端末装置。
【請求項３】
固定ＩＰアドレスを設定する固定ＩＰアドレス設定手段と、
ＤＨＣＰからＩＰアドレスを取得して自端末のＩＰアドレスを設定するＤＨＣＰクライアント手段と、
上記固定ＩＰアドレス設定手段または上記ＤＨＣＰクライアント手段のいずれか一方を選択する選択手段と、
電子メールを受信するＰＯＰ３クライアント手段と、
ＳＭＴＰ受信を可能にするＳＭＴＰ受信手段と、
上記選択手段により、上記固定ＩＰアドレス設定手段が選択された場合には、上記ＳＭＴＰ受信手段を使用可能である旨をユーザに通知する通知手段を備えたことを特徴とするＤＨＣＰサポート端末装置。
【請求項４】
固定ＩＰアドレスを設定する固定ＩＰアドレス設定手段と、
ＤＨＣＰからＩＰアドレスを取得して自端末のＩＰアドレスを設定するＤＨＣＰクライアント手段と、
上記固定ＩＰアドレス設定手段または上記ＤＨＣＰクライアント手段のいずれか一方を選択する選択手段と、
リアルタイムインターネットファクシミリ受信を可能にするＴ．３８通信手段と、
ゲートキーパーにエイリアスを登録するゲートキーパーアクセス手段と、
上記選択手段により、上記固定ＩＰアドレス設定手段が選択された場合には、上記Ｔ．３８通信手段を使用可能である旨をユーザに通知する通知手段を備えたことを特徴とするＤＨＣＰサポート端末装置。
【発明の詳細な説明】
【０００１】
【発明の属する技術分野】
本発明は、本発明は、ＤＨＣＰプロトコルによりＩＰアドレスを獲得するＤＨＣＰサポート端末装置に関する。
【０００２】
【従来の技術】
近年、ネットワークが普及して、オフィスではネットワークに接続される通信機器が増加してきた。また、近年、インターネットやイントラネットが普及してきた。インターネットで接続すれば、世界中のインターネット接続端末と通信でき、インターネットのメール機能を用いることで容易に情報交換が行えるようになってきた。
【０００３】
一方、インターネットの普及にともない、ネットワークの規模も拡大してきた。ネットワークの拡大によってネットワークの管理も多くの工数や努力を必要とすることになってきた。
【０００４】
特にネットワークに接続される各端末のアドレス管理等は、ネットワークの規模に応じて管理工数も増大する。
【０００５】
ネットワークの管理を効率化するために、特にＩＰアドレスの管理を効率化するためにアドレス情報等を一元管理して自動的に配布するアドレス管理方法がＤＨＣＰ（Ｄｙｎａｍｉｃ　Ｈｏｓｔ　Ｃｏｎｆｉｇｒａｔｉｏｎ　Ｐｒｏｔｏｃｏｌ）として提唱されている。この管理方法は、ＲＦＣ１５１４で定義されている。ＤＨＣＰを使用することで、アドレス管理者は、個々の端末ごとにアドレスを設定する必要がなくなるため、管理が容易になるという利点があった。
【０００６】
このようにネットワークのアドレスは従来の固定アドレスやＤＨＣＰで与えられたアドレスを利用する方法がある。ところが固定アドレスからＤＨＣＰで与えられたアドレスに設定を変えた場合、アプリケーションが動かなくなることがある。
【０００７】
特開２００１−３４４３４ではこのような設定の変更に対して、ＤＨＣＰを有効にすると動作できないＩ／Ｆがあることを操作パネルに表示する方法が考えられた。
【０００８】
【発明が解決しようとする課題】
ところで、前記先行技術は、ＤＨＣＰに変えたときに代替手段を誘導していないため、そのサービスは使えなくなってしまう。またＤＨＣＰから固定アドレス方式に戻した場合に、使えるアプリケーションについてユーザに明示的に知らせていない。
【０００９】
本発明の目的は、上記従来技術における問題を改善するために、ＤＨＣＰに変えたときに代替手段を提示したり、ＤＨＣＰから固定アドレス方式に戻した場合、使えるアプリケーションについてユーザに通知する端末を提供しようとするものである。
【００１０】
【課題を解決するための手段】
本発明は、固定ＩＰアドレスを設定する固定ＩＰアドレス設定手段と、ＤＨＣＰからＩＰアドレスを取得して自端末のＩＰアドレスを設定するＤＨＣＰクライアント手段と、上記固定ＩＰアドレス設定手段または上記ＤＨＣＰクライアント手段のいずれか一方を選択する選択手段と、電子メールを受信するＰＯＰ３クライアント手段と、ＳＭＴＰ受信を可能にするＳＭＴＰ受信手段と、上記選択手段により、上記ＤＨＣＰクライアント手段が選択された場合には、上記ＰＯＰ３クライアント手段を使うようにユーザを誘導するガイダンスメッセージ表示手段を備えたものである。
【００１１】
また、固定ＩＰアドレスを設定する固定ＩＰアドレス設定手段と、ＤＨＣＰからＩＰアドレスを取得して自端末のＩＰアドレスを設定するＤＨＣＰクライアント手段と、上記固定ＩＰアドレス設定手段または上記ＤＨＣＰクライアント手段のいずれか一方を選択する選択手段と、リアルタイムインターネットファクシミリ受信を可能にするＴ．３８通信手段と、ゲートキーパーにエイリアスを登録するゲートキーパーアクセス手段と、上記選択手段により、上記ＤＨＣＰクライアント手段が選択された場合には、上記ゲートキーパーアクセス手段を使うようにユーザを誘導するガイダンスメッセージ表示手段を備えたものである。
【００１２】
また、固定ＩＰアドレスを設定する固定ＩＰアドレス設定手段と、ＤＨＣＰからＩＰアドレスを取得して自端末のＩＰアドレスを設定するＤＨＣＰクライアント手段と、上記固定ＩＰアドレス設定手段または上記ＤＨＣＰクライアント手段のいずれか一方を選択する選択手段と、電子メールを受信するＰＯＰ３クライアント手段と、ＳＭＴＰ受信を可能にするＳＭＴＰ受信手段と、上記選択手段により、上記固定ＩＰアドレス設定手段が選択された場合には、上記ＳＭＴＰ受信手段を使用可能である旨をユーザに通知する通知手段を備えたものである。
【００１３】
また、固定ＩＰアドレスを設定する固定ＩＰアドレス設定手段と、ＤＨＣＰからＩＰアドレスを取得して自端末のＩＰアドレスを設定するＤＨＣＰクライアント手段と、上記固定ＩＰアドレス設定手段または上記ＤＨＣＰクライアント手段のいずれか一方を選択する選択手段と、リアルタイムインターネットファクシミリ受信を可能にするＴ．３８通信手段と、ゲートキーパーにエイリアスを登録するゲートキーパーアクセス手段と、上記選択手段により、上記固定ＩＰアドレス設定手段が選択された場合には、上記Ｔ．３８通信手段を使用可能である旨をユーザに通知する通知手段を備えたものである。
【００１４】
【発明の実施の形態】
以下、添付図面を参照しながら、本発明の実施の形態を詳細に説明する。
【００１５】
図１は、本発明の一実施例にかかるネットワークシステムを示している。
【００１６】
同図において、ネットワークファクシミリ装置ＦＸは、電子メールを用いて画情報をやりとりするＩＴＵ−Ｔ勧告Ｔ．３７の通信機能を備えたものであり、電子メール受信機能としては、ＳＭＴＰサーバ機能、および、ＰＯＰ３クライアント機能を備えている。また、自端末のＩＰアドレスの設定機能としては、固定ＩＰ設定機能、および、ＤＨＣＰクライアント機能を備えている。
【００１７】
リアルタイム型ネットワークファクシミリ装置ＲＸは、ＩＰ網を用いてリアルタイム的に画情報をやりとりするＩＴＵ−Ｔ勧告Ｔ．３８の通信機能を備えたものである。また、自端末のＩＰアドレスの設定機能としては、固定ＩＰ設定機能、および、ＤＨＣＰクライアント機能を備えている。
【００１８】
メールサーバ装置ＭＳは、ＳＭＴＰサーバ機能およびＰＯＰ３サーバ機能を備え、ネットワーク上の他のＳＭＴＰクライアントおよびＰＯＰ３クライアントに対して、それぞれ電子メール配信機能および電子メール受信機能を提供するためのものである。
【００１９】
ＤＨＣＰサーバ装置ＤＳは、ローカルエリアネットワークＬＡＮ上のＤＨＣＰクライアントに対して、所定のＤＨＣＰによるＩＰアドレスの配布等の処理を行うためのものである。
【００２０】
ゲートウェイ装置ＧＷは、ローカルエリアネットワークＬＡＮ上のＨ．３２３端末装置（例えば、Ｔ．３８端末であるリアルタイム型ネットワークファクシミリ装置ＲＸ）に対して、アナログ公衆回線網ＰＳＴＮに接続されているグループ３ファクシミリ装置ＧＸへの接続機能を提供するためのものである。
【００２１】
ゲートキーパー装置ＧＫは、ローカルエリアネットワークＬＡＮ上のＨ．３２３端末装置に対して、ＩＴＵ−Ｔ勧告Ｈ．３２３に規定されている所定のゲートキーパー機能を提供するためのものである。
【００２２】
これらのネットワークファクシミリ装置ＦＸ、リアルタイム型ネットワークファクシミリ装置ＲＸ、メールサーバ装置ＭＳ、ゲートウェイ装置ＧＷ、ゲートキーパー装置ＧＫ、ＤＨＣＰサーバ装置ＤＳは、ローカルエリアネットワークＬＡＮに接続されており、ローカルエリアネットワークＬＡＮを介して、これらの各装置間の通信が行われる。
【００２３】
また、ローカルエリアネットワークＬＡＮは、ルータ装置ＲＴを介してインターネットＩＮＥＴ（図示略）へ接続されており、これにより、ローカルエリアネットワークＬＡＮに接続されている各装置は、インターネットＩＮＥＴに接続されている他の装置との間で、適宜に通信を行うことができる。
【００２４】
図２は、ネットワークファクシミリ装置ＦＸの構成の一例を示している。
【００２５】
同図において、システム制御部１は、このネットワークファクシミリ装置ＦＸの各部の制御処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２６】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２７】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２８】
ローカルエリアネットワークインターフェース回路１０は、このネットワークファクシミリ装置ＦＸをローカルエリアネットワークＬＡＮに接続するためのものであり、ネットワーク通信制御部１１は、ローカルエリアネットワークＬＡＮを介してＤＨＣＰサーバ装置ＤＳや、他のネットワークの端末装置との間で所定の通信を行うためのものであり、Ｔ．３７通信制御部１２は、ローカルエリアネットワークＬＡＮを介して、ＩＴＵ−Ｔ勧告Ｔ．３７の通信を行うためのものである。
【００２９】
これらの、システム制御部１、システムメモリ２、パラメータメモリ３、時計回路４、スキャナ５、プロッタ６、操作表示部７、符号化復号化部８、画像蓄積装置９、ネットワーク通信制御部１１、および、Ｔ．３７通信制御部１２は、内部バス１３に接続されており、これらの各要素間でのデータのやりとりは、主としてこの内部バス１３を介して行われている。
【００３０】
図３は、リアルタイム型ネットワークファクシミリ装置ＲＸの構成の一例を示している。
【００３１】
同図において、システム制御部２１は、このリアルタイム型ネットワークファクシミリ装置ＲＸの各部の制御処理などの各種制御処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、このリアルタイム型ネットワークファクシミリ装置ＲＸに固有な各種の情報を記憶するためのものであり、時計回路２４は、現在時刻情報を出力するものである。
【００３２】
スキャナ２５は、所定の解像度で原稿画像を読み取るためのものであり、プロッタ２６は、所定の解像度で画像を記録出力するためのものであり、操作表示部７は、このリアルタイム型ネットワークファクシミリ装置ＲＸを操作するためのもので、各種の操作キー、および、各種の表示器からなる。
【００３３】
符号化復号化部２８は、画信号を符号化圧縮するとともに、符号化圧縮されている画情報を元の画信号に復号化するためのものであり、画像蓄積装置２９は、符号化圧縮された状態の画情報を多数記憶するためのものである。
【００３４】
ローカルエリアネットワークインターフェース回路３０は、このリアルタイム型ネットワークファクシミリ装置ＲＸをローカルエリアネットワークＬＡＮに接続するためのものであり、ネットワーク通信制御部３１は、ローカルエリアネットワークＬＡＮを介して、ＤＨＣＰサーバ装置ＤＳや他のネットワークの端末装置との間で所定の通信を行うためのものであり、Ｔ．３８通信制御部１２は、ローカルエリアネットワークＬＡＮを介して、ＩＴＵ−Ｔ勧告Ｔ．３８の通信を行うためのものである。また、ＩＴＵ−Ｔ勧告Ｈ．３２３に規定されているゲートキーパー装置ＧＫとの間のＲＡＳ（Ｒｅｇｉｓｔｒａｔｉｏｎ，　Ａｄｍｉｓｓｉｏｎ　ａｎｄ　Ｓｔａｔｕｓ）通信、および、ゲートウェイ装置ＧＷを介して行うファクシミリ装置ＧＸとの通信等の通信機能は、Ｔ．３８通信制御部３２に含まれる。
【００３５】
これらの、システム制御部２１、システムメモリ２２、パラメータメモリ２３、時計回路２４、スキャナ２５、プロッタ２６、操作表示部２７、符号化復号化部２８、画像蓄積装置２９、ネットワーク通信制御部３１、および、Ｔ．３８通信制御部３２は、内部バス３３に接続されており、これらの各要素間でのデータのやりとりは、主としてこの内部バス３３を介して行われている。
【００３６】
図４は、ネットワークファクシミリ装置ＦＸにおいて、ＤＨＣＰを使用する旨が設定操作された場合の処理の一例を示している。
【００３７】
まず、そこでＳＭＴＰ受信ができないことをユーザに通知（処理１０１）し、ＤＨＣＰ設定を続行するか入力待ちになる（判断１０２）。ＤＨＣＰ設定を続行しない旨が入力された場合で、判断１０３の結果がＮＯになるときには、メニューに戻る。
【００３８】
また、判断１０３の結果がＹＥＳになるときには、ＤＨＣＰ設定を有効とする（処理１０４）。そしてＰＯＰ３でメールを受信できることをユーザに通知し（処理１０５）、ＰＯＰ３を設定するか入力待ちになる（処理１０６）。
【００３９】
ここで、ＰＯＰ３を設定する旨が入力された場合で、判断１０７の結果がＹＥＳになるときには、ＰＯＰ（３）サーバのＩＰアドレス入力を促し（処理１０８）、ＩＰアドレス入力待ちとなる（判断１０９のＮＯループ）。
【００４０】
ＩＰアドレスが入力されて、判断１０９の結果がＹＥＳになると、ＰＯＰサーバを使用する動作モード（ＰＯＰサーバ使用モード）に設定して（処理１１０）、装置を再起動する（処理１１１）。
【００４１】
また、判断１０７の結果がＮＯになるときには、処理１１１へ移行し、そのまま再起動する。
【００４２】
図５は、リアルタイム型ネットワークファクシミリ装置ＲＸにおいて、ＤＨＣＰを使用する旨が設定操作された場合の処理の一例を示している。
【００４３】
まず、ＩＰアドレス指定のインタネットＦＡＸ受信ができなくなる可能性がある旨をユーザに通知し（処理２０１）、ＤＨＣＰ設定を続行するか入力待ちになる（処理２０２）。なお「インタネットＦＡＸ受信ができない」とは厳密にはＩＰアドレス指定のインタネットＦＡＸ受信はできるのだが、ＩＰ自体が固定されていないため、送信側から受信側を特定することができず、実質的には通信できないことをいう。
【００４４】
ＤＨＣＰ設定を続行しない旨が入力された場合で、判断２０３の結果がＮＯになるときには、メニューに戻る。
【００４５】
また、判断２０３の結果がＹＥＳになるときには、ＤＨＣＰ設定を有効とする（処理２０４）。そしてゲートキーパーを使うとリアルタイムインタネットファクシミリ通信が可能なことを通知し（処理２０５）、ゲートキーパーを使う設定をするか入力待ちになる（処理２０６）。
【００４６】
ここで、ゲートキーパーを設定する旨が入力された場合で、判断２０７の結果がＹＥＳになるときには、ゲートキーパー装置ＧＫのＩＰアドレスと端末の別名を入力するように促し（処理２０８）、入力されるまで待つ（判断２０９のＮＯループ）。
【００４７】
ゲートキーパー装置ＧＫのＩＰアドレスと端末の別名が入力されて、判断２０９の結果がＹＥＳになると、ゲートキーパーを使用するモード（ゲートキーパ使用モード）に設定して（処理２１０）して、装置を再起動する（処理２１１）。
【００４８】
また、判断２０７の結果がＮＯになるときには、処理２１１へ移行し、そのまま再起動する。
【００４９】
図６は、ネットワークファクシミリ装置ＦＸにおいて、固定ＩＰを使用する旨が設定操作された場合の処理の一例を示している。
【００５０】
まず、ＩＰアドレスと、サブネットマスクの入力を促す（処理３０１）。そして、上記が入力されたか入力待ちし（処理３０２）、ＩＰアドレスとサブネットマスクが入力されるまで待つ（判断３０３のＮＯループ）。
【００５１】
ＩＰアドレスとサブネットマスクが入力されて、判断３０３の結果がＹＥＳになると、それらの入力値を保存し、内部的に設定する（処理３０４）。
【００５２】
次いで、ＳＭＴＰ受信が可能であるメッセージを示し、何かキー入力を促す（処理３０５）。そしてキー入力をチェックし（判断３０６のＮＯループ）、キーが入力され、判断３０６の結果がＹＥＳになると、電子メールの受信としてＳＭＴＰ受信モードをセットし（処理３０７）、装置を再起動する（処理３０８）。
【００５３】
図７は、リアルタイム型ネットワークファクシミリ装置ＲＸにおいて、固定ＩＰを使用する旨が設定操作された場合の処理の一例を示している。
【００５４】
まず、ＩＰアドレスと、サブネットマスクの入力を促す（処理４０１）。そして、上記が入力されたか入力待ちし（処理４０２）、ＩＰアドレスとサブネットマスクが入力されるまで待つ（判断４０３のＮＯループ）。
【００５５】
ＩＰアドレスとサブネットマスクが入力されて、判断４０３の結果がＹＥＳになると、それらの入力値を保存し、内部的に設定する（処理４０４）。
【００５６】
次いで、ゲートキーパーモードをオフにした場合でもリアルタイムファクシミリ受信可能であるメッセージを示し、ゲートキーパーモードをＯＦＦにするかどうかを問い合わせる（処理４０５）。そして入力待ちをする（処理４０６）。
【００５７】
ここで、ゲートキーパーモードをオフする旨が入力された場合で、判断４０７の結果がＹＥＳになるときには、ゲートキーパーモードをオフして（処理４０８）、装置を再起動する（処理４０９）。
【００５８】
また、判断４０７の結果がＮＯになるときには、処理４０９へ移行し、装置を再起動する。
【００５９】
【発明の効果】
以上説明したように、本発明によれば、ＤＨＣＰを選択するところで、ＰＯＰ３を選択するように誘導されるので、ＤＨＣＰを使っても従来と同様にメールを受けるようにできるという効果を得る。
【００６０】
また、ＤＨＣＰを選択するところで、ゲートキーパを使うように誘導されるので、ＤＨＣＰを使っても従来と同様にリアルタイムインタネットＦＡＸから受信することができるという効果も得る。
【００６１】
また、ＤＨＣＰから固定ＩＰに変更するところで、ＳＭＴＰ受信も可能だとユーザに通知するので、ユーザがＳＭＴＰ受信に移行しやすいという効果も得る。
【００６２】
また、ＤＨＣＰから固定ＩＰに変更するところで、ゲートキーパＯＦＦも可能であることを通知するので、ユーザがゲートキーパＯＦＦにして資源を有効に使うことができるという効果も得る。
【図面の簡単な説明】
【図１】本発明の一実施例にかかるネットワークシステムを示したブロック図。
【図２】ネットワークファクシミリ装置ＦＸの構成の一例を示したブロック図。
【図３】リアルタイム型ネットワークファクシミリ装置ＲＸの構成の一例を示したブロック図。
【図４】ネットワークファクシミリ装置ＦＸにおいて、ＤＨＣＰを使用する旨が設定操作された場合の処理の一例を示したフローチャート。
【図５】リアルタイム型ネットワークファクシミリ装置ＲＸにおいて、ＤＨＣＰを使用する旨が設定操作された場合の処理の一例を示したフローチャート。
【図６】ネットワークファクシミリ装置ＦＸにおいて、固定ＩＰを使用する旨が設定操作された場合の処理の一例を示したフローチャート。
【図７】リアルタイム型ネットワークファクシミリ装置ＲＸにおいて、固定ＩＰを使用する旨が設定操作された場合の処理の一例を示したフローチャート。
【符号の説明】
ＦＸ　ネットワークファクシミリ装置
ＲＸ　リアルタイム型ネットワークファクシミリ装置
ＭＳ　メールサーバ装置
ＧＷ　ゲートウェイ装置
ＧＫ　ゲートキーパー装置
ＤＳ　ＤＨＣＰサーバ装置
ＬＡＮ　ローカルエリアネットワーク
【図１】
2004086748.tif 000003
【図２】
2004086748.tif 000004
【図３】
2004086748.tif 000005
【図４】
2004086748.tif 000006
【図５】
2004086748.tif 000007
【図６】
2004086748.tif 000008
【図７】
2004086748.tif 000009